(57)【特許請求の範囲】
【請求項１】
搬送される原稿の厚みに応じて原稿搬送路の両側に配置された読取ガイドの間隔を調整可能な画像読取装置であって、
原稿読取装置に固定された読取フレーム部材であって、光学系を支持するように構成された読取フレーム部材と、
前記読取フレーム部材と相まって前記光学系を収納するハウジング部材を構成する読取ガイド部材であって、読取位置に搬送される原稿を案内するとともに読取ガラスを支持するように構成され、かつ、前記読取フレーム部材に対してスライド可能な状態に支持される読取ガイド部材と、
前記読取フレーム部材および前記読取ガイド部材の隙間を覆うように構成されたシール機構と、
を備え、
前記シール機構は、前記読取ガイド部材のスライド方向に平行に立設されるリブ、および前記リブに先端が触れるように配置される可撓性を有する防塵シートを有し、
前記防塵シートは、同一の素材からなるシート取り付け部材を介して前記読取フレーム部材に取り付けられる画像読取装置。
【請求項２】
前記シール機構の前記防塵シートは、前記リブに対して垂直な方向から前記リブに当接するように配置される請求項１に記載の画像読取装置。
【請求項３】
前記読取ガイド部材は、搬送される原稿から作用する力に応じて原稿搬送路から離間するように前記読取フレームに支持された請求項１または２に記載の画像読取装置。
【請求項４】
前記シール機構の前記リブは、前記読取ガイド部材の全周にわたって形成される一方で、前記シール機構の前記防塵シートは、前記読取フレーム部材の全周にわたって配置された請求項１〜３のいずれか１項に記載の画像読取装置。
【請求項５】
前記防塵シートは、ウレタンシートであるとともに、ウレタンフォームからなるシート支持部を介して前記読取フレーム部材に取り付けられる請求項１〜４のいずれか１項に記載の画像読取装置。
【請求項６】
請求項１〜５のいずれか１項に記載の画像読取装置を備えた画像形成装置。
【発明の詳細な説明】
【技術分野】
【０００１】
本発明は、搬送される原稿の厚みに応じて原稿搬送路の両側に配置された読取ガイド部の間隔を調整可能な画像読取装置およびそれを備えた画像形成装置に関する。
【背景技術】
【０００２】
搬送される原稿を読み取る原稿読取位置には、原稿に当接しつつ原稿の搬送を案内するように構成されたコンタクトガラスが配置される。このコンタクトガラスは、通常、光学系を収納するハウジングに安定的に支持されている。
【０００３】
このような構成において、コンタクトガラスとハウジングにおけるガラス支持部との隙間を介して塵埃がハウジング内に進入し、進入した塵埃がハウジング内の光学系に付着することがあった。光学系に塵埃が付着した場合には、その塵埃の影響が読取画像において黒筋となって現れるといった不都合がある。
【０００４】
そこで、従来技術の中には、コンタクトガラスの下面とコンタクトガラス支持部間に防塵用の可撓性部材を介在させ、この可撓性部材からコンタクトガラスへの押圧力によるコンタクトガラスの浮きを防ぐ規制部を通紙ガイド部の一部に設けるように構成された読取装置が存在する（例えば、特許文献１参照。）。
【先行技術文献】
【特許文献】
【０００５】
【特許文献１】特開２０００−１８０９９４号公報
【発明の概要】
【発明が解決しようとする課題】
【０００６】
しかしながら、上述の特許文献１に記載の構成を採用していたとしても、搬送される原稿の厚みに応じてその間隔が調整可能な読取ガイド部においては、読取ガイド部を移動させる機構部からハウジング内に塵埃が進入することがあった。
【０００７】
搬送される原稿の厚みに応じてその間隔を調整する機構は、固定普通紙とカードの両方での読取精度を良好に保つために重要ではあるが、ハウジングにおいて移動のストローク分の隙間が発生し易くなるという問題があった。
【０００８】
塵埃の進入を防止するためには、ハウジングのシール性を向上させる必要があるが、シール性を向上させる機構によって、ハウジングを構成する部材の円滑な移動が妨げられることになると、読取ガイド部の間隔の調整が適正に行われなくなってしまったり、読取ガイド部に原稿が引っ掛かって斜め送りが発生したりするという不具合が発生することがあった。
【０００９】
この発明の目的は、搬送される原稿の厚みに応じて間隔が調整可能な読取ガイドの間隔調整機能を損なうことなく、光学系を収納するハウジング部材のシール性を向上させることが可能な画像読取装置および画像形成装置を提供することである。
【課題を解決するための手段】
【００１０】
この発明に係る画像読取装置は、搬送される原稿の厚みに応じて原稿搬送路の両側に配置された読取ガイドの間隔を調整可能に構成される。この画像読取装置は、読取フレーム部材、読取ガイド部材、およびシール機構を備えている。
【００１１】
読取フレーム部材は、原稿読取装置に固定されており、光学系を支持するように構成される。
【００１２】
読取ガイド部材は、読取フレーム部材と相まって光学系を収納するハウジング部材を構成する。この読取ガイド部材は、読取位置に搬送される原稿を案内するとともに読取ガラスを支持するように構成される。さらに読取ガイド部材は、読取フレーム部材に対してスライド可能な状態に支持されている。
【００１３】
シール機構は、読取フレーム部材および読取ガイド部材の隙間を覆うように構成される。このシール機構は、読取ガイド部材の昇降方向に平行に立設されるリブ、およびリブに先端が触れるように配置される可撓性を有する防塵シートを有する。防塵シートは、同一の素材からなるシート取り付け部材を介して読取フレーム部材に取り付けられる。防塵シートの例としては、厚みが０．１ｍｍ程度のウレタンシートが挙げられる。
【００１４】
この構成においては、読取フレーム部材または読取ガイド部材のいずれか一方に配置されたリブと、他方に配置された防塵シートとが当接することにより、読取フレーム部材および読取ガイド部材の隙間が覆われる。
【００１５】
リブは読取ガイド部材の昇降方向に平行に立設され、かつ、可撓性を有する防塵シートの先端をリブに触れさせる構成によってハウジング部材をシールしているため、防塵シートとリブとの間の摩擦によって読取ガイド部材のスライド動作が妨げられにくい。このため、読取ガイド部材の円滑なスライド動作を阻害することなく、読取フレーム部材および読取ガイド部材によって構成されるハウジング部材のシール性を向上させることが可能になる。
【発明の効果】
【００１６】
この発明によれば、搬送される原稿の厚みに応じて間隔が調整可能な読取ガイドの間隔調整機能を損なうことなく、光学系を収納するハウジング部材のシール性を向上させることが可能になる。
【図面の簡単な説明】
【００１７】
【図１】本発明の実施形態に係る画像形成装置の概略構成を示す図である。
【図２】原稿読取部の概略構成を示す図である。
【図３】第１の読取ガイド部および第２の読取ガイド部の近傍の概略構成を示す図である。
【図４】第２の読取ガイド部の構成を示す図である。
【図５】第２の読取ガイド部の構成を示す図である。
【図６】第２の読取ガイド部の動作を示す図である。
【図７】第２の読取ガイド部の動作およびシール部の状態を説明する図である。
【発明を実施するための形態】
【００１８】
図１は、本発明の実施形態に係る画像形成装置１００の概略を示す図である。画像形成装置１００は、外部から伝達された画像データに応じて、所定のシート（記録用紙）に対して多色および単色の画像を形成するもので、原稿読取部２０および画像形成部１０を備えている。
【００１９】
原稿読取部２０は、搬送される原稿の両面の画像を同時に読み取ることが可能に構成されている。原稿読取部２０は、原稿が載置される透明ガラスからなる手置きの原稿が載置される原稿載置台２２が設けられ、原稿載置台２２の上側には自動原稿処理装置２４が取り付けられている。自動原稿処理装置２４は、給紙トレイ２６上の原稿を、原稿搬送路３６を介して、普通紙の原稿を排出するための第１の排紙部２８または厚手の原稿（カード、封筒等）を排出するための第２の排紙部３０まで順次的に搬送するように構成されている。
【００２０】
原稿搬送路３６の両側には、搬送される原稿の第１の面の画像、または原稿載置台２２上の原稿の画像を読み取るように構成された第１の読取部３２、および搬送される原稿の第２の面の画像を読み取るように構成された第２の読取部３４が設けられる。ここでは、第１の読取部３２および第２の読取部３４はＣＣＤを含む縮小光学系からなる構成を採用しているが、ＣＩＳを採用したものであっても良い。なお、原稿読取部２０の構成の詳細については後述する。
【００２１】
原稿読取部２０の下方には画像形成部１０が配置される。画像形成部１０は、光走査装置２１０、現像器１０２、感光体ドラム１０３、クリーナユニット１０４、帯電器１０５、中間転写ベルトユニット１０６、定着ユニット１０７、給紙カセット１８１、排紙部１９１等を有して構成されている。
【００２２】
この画像形成装置１００において扱われる画像データは、ブラック（Ｋ）、シアン（Ｃ）、マゼンタ（Ｍ）、イエロー（Ｙ）の各色を用いたカラー画像に応じたものである。従って、現像器１０２、感光体ドラム１０３、帯電器１０５、クリーナユニット１０４は、各色に応じた４種類の潜像を形成するようにそれぞれ４個ずつ設けられ、それぞれブラック、シアン、マゼンタ、イエローに設定され、これらによって４つの画像ステーションが構成されている。
【００２３】
帯電器１０５は、感光体ドラム１０３の表面を所定の電位に均一に帯電させるための帯電手段であり、図１に示すようなチャージャ型の他、接触型のローラ型やブラシ型の帯電器が用いられることもある。
【００２４】
光走査装置２１０は、入力された画像データに基づいて感光体ドラム１０３の表面に静電潜像を形成するように構成される。光走査装置２１０の詳細については後述する。
【００２５】
現像器１０２はそれぞれの感光体ドラム１０３上に形成された静電潜像を４色（ＹＭＣＫ）のトナーにより顕像化するものである。またクリーナユニット１０４は、現像・画像転写後における感光体ドラム１０３上の表面に残留したトナーを、除去・回収する。
【００２６】
感光体ドラム１０３の上方に配置されている中間転写ベルトユニット１０６は、中間転写ベルト１６１、中間転写ベルト駆動ローラ１６２、中間転写ベルト従動ローラ１６３、中間転写ローラ１６４、および中間転写ベルトクリーニングユニット１６５を備えている。上記中間転写ローラ１６４は、ＹＭＣＫ用の各色に対応して４本設けられている。
【００２７】
中間転写ベルト駆動ローラ１６２、中間転写ベルト従動ローラ１６３、および中間転写ローラ１６４は、中間転写ベルト１６１を張架して回転駆動させる。また各中間転写ローラ１６４は、感光体ドラム１０３のトナー像を、中間転写ベルト１６１上に転写するための転写バイアスを与える。
【００２８】
中間転写ベルト１６１は、各感光体ドラム１０３に接触するように設けられている、そして、感光体ドラム１０３に形成された各色のトナー像を中間転写ベルト１６１に順次的に重ねて転写することによって、中間転写ベルト１６１上にカラーのトナー像（多色トナー像）を形成する機能を有している。中間転写ベルト１６１は、例えば厚さ１００μｍ〜１５０μｍ程度のフィルムを用いて無端状に形成されている。
【００２９】
感光体ドラム１０３から中間転写ベルト１６１へのトナー像の転写は、中間転写ベルト１６１の裏側に接触している中間転写ローラ１６４によって行われる。中間転写ローラ１６４には、トナー像を転写するために高電圧の転写バイアス（トナーの帯電極性（−）とは逆極性（＋）の高電圧）が印加されている。中間転写ローラ１６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト１６１に対して均一に高電圧を印加することができる。本実施形態では転写電極としてローラ形状を使用しているが、それ以外にブラシなども用いることが可能である。
【００３０】
上述の様に各感光体ドラム１０３上で各色相に応じて顕像化された静電像は中間転写ベルト１６１で積層される。このように、積層された画像情報は中間転写ベルト１６１の回転によって、後述の用紙と中間転写ベルト１６１の接触位置に配置される転写ローラ１１０によって用紙上に転写される。
【００３１】
このとき、中間転写ベルト１６１と転写ローラ１１０は所定ニップで圧接されると共に、転写ローラ１１０にはトナーを用紙に転写させるための電圧が印加される（トナーの帯電極性（−）とは逆極性（＋）の高電圧）。さらに、転写ローラ１１０は上記ニップを定常的に得るために、転写ローラ１１０もしくは中間転写ベルト駆動ローラ１６２の何れか一方を硬質材料（金属等）とし、他方を弾性ローラ等の軟質材料（弾性ゴムローラ、または発泡性樹脂ローラ等々）が用いられる。
【００３２】
また、上記のように、感光体ドラム１０３に接触することにより中間転写ベルト１６１に付着したトナー、もしくは転写ローラ１１０によって用紙上に転写が行われず中間転写ベルト１６１上に残存したトナーは、次工程でトナーの混色を発生させる原因となるために、中間転写ベルトクリーニングユニット１６５によって除去・回収されるように設定されている。中間転写ベルトクリーニングユニット１６５には、中間転写ベルト１６１に接触する例えばクリーニング部材としてクリーニングブレードが備えられており、クリーニングブレードが接触する中間転写ベルト１６１は、裏側から中間転写ベルト従動ローラ１６３で支持されている。
【００３３】
給紙カセット１８１は、画像形成に使用するシート（記録用紙）を蓄積しておくためのトレイであり、画像形成部１０の光走査装置２１０の下側に設けられている。また手差し給紙カセット１８２にも画像形成に使用するシートを置くことができる。また、画像形成部１０の上方に設けられている排紙部１９１は、印刷済みのシートをフェイスダウンで集積するためのトレイである。
【００３４】
また画像形成部１０には、給紙カセット１８１および手差し給紙カセット１８２のシートを転写ローラ１１０や定着ユニット１０７を経由させて排紙部１９１に送るための、略垂直形状の用紙搬送路２００が設けられている。給紙カセット１８１ないし手差し給紙カセット１８２から排紙部１９１までの用紙搬送路２００の近傍には、ピックアップローラ１１１Ａ，１１１Ｂ、複数の搬送ローラ１１２Ａ〜１１２Ｄ，レジストローラ１１３、転写ローラ１１０、定着ユニット１０７等が配されている。
【００３５】
搬送ローラ１１２Ａ〜１１２Ｄは、シートの搬送を促進・補助するための小型のローラであり、用紙搬送路２００に沿って複数設けられている。またピックアップローラ１１１Ａは、給紙カセット１８１の端部近傍に備えられ、給紙カセット１８１からシートを１枚ずつピックアップして用紙搬送路２００に供給する。同様にまたピックアップローラ１１１Ｂは、手差し給紙カセット１８２の端部近傍に備えられ、手差し給紙カセット１８２からシートを１枚ずつピックアップして用紙搬送路２００に供給する。
【００３６】
また、レジストローラ１１３は、用紙搬送路２００を搬送されているシートを一旦保持するものである。そして、感光体ドラム１０３上のトナー像の先端とシートの先端を合わせるタイミングでシートを転写ローラ１１０に搬送する機能を有している。
【００３７】
定着ユニット１０７は、ヒートローラ１７１および加圧ローラ１７２を備えており、ヒートローラ１７１および加圧ローラ１７２は、シートを挟んで回転するようになっている。またヒートローラ１７１は、図示しない温度検出器からの信号に基づいて制御部によって所定の定着温度となるように設定されており、加圧ローラ１７２とともにトナーをシートに熱圧着することにより、シートに転写された多色トナー像を溶融・混合・圧接し、シートに対して熱定着させる機能を有している。またヒートローラ１７１を外部から加熱するための外部加熱ベルト１７３が設けられている。
【００３８】
次にシート搬送経路を詳細に説明する。上述のように、画像形成装置には予めシートを収納する給紙カセット１８１、および手差し給紙カセット１８２が設けられている。これら給紙カセット１８１，１８２からシートを給紙するために、各々ピックアップローラ１１１Ａ，１１１Ｂが配置され、シートを１枚ずつ搬送路２００に導くようになっている。
【００３９】
各給紙カセット１８１，１８２から搬送されるシートは用紙搬送路２００の搬送ローラ１１２Ａによってレジストローラ１１３まで搬送され、シートの先端と中間転写ベルト１６１上の画像情報の先端を整合するタイミングで転写ローラ１１０に搬送され、シート上に画像情報が書き込まれる。その後、シートは定着ユニット１０７を通過することによってシート上の未定着トナーが熱で溶融・固着され、その後に配された搬送ローラ１１２Ｂを経て排紙部１９１上に排出される。
【００４０】
上記の搬送経路は、シートに対する片面印字要求のときのものであるが、これに対して両面印字要求の時は、上記のように片面印字が終了し定着ユニット１０７を通過したシートの後端が最終の搬送ローラ１１２Ｂで把持されたときに、搬送ローラ１１２Ｂが逆回転することによってシートを搬送ローラ１１２Ｃ，１１２Ｄに導く。そしてその後レジストローラ１１３を経てシート裏面に印字が行われた後にシートが排紙部１９１に排出される。
【００４１】
続いて、図２を用いて、原稿読取部２０の構成を説明する。同図に示すように、原稿搬送路３６は、給紙トレイ２６から原稿ガイド３８までの間において、下方向に傾斜するように直線状に構成される（同図中では左下がりに傾斜。）。ここで、原稿ガイド３８は遥動可能に支持されている。原稿ガイド３８の下流には、搬送される原稿を第１の排紙部２８または第２の排紙部３０のいずれかに案内するように構成された進路切換部材３９が配置される。この実施形態では、進路切換部材３９は、カード等の厚手の原稿（例えば厚み０．６ｍｍ以上）を第２の排紙部３０に案内し、厚手の原稿以外の原稿（例えば厚み０．６ｍｍ未満）を第１の排紙部２８に案内するように構成されている。進路切換部材３９によって第１の排紙部２８に案内される原稿は、原稿搬送路３６における横Ｕ字状を呈する箇所を経由して第１の排紙部２８まで搬送される。
【００４２】
原稿搬送路３６における原稿ガイド３８の上流には、原稿搬送路３６と略平行になるように傾斜して配置された第１の読取ガイド部４０および第２の読取ガイド部４２が設けられる。第１の読取ガイド部４０および第２の読取ガイド部４２は、原稿搬送路３６を挟んで配置されており、第１の読取部３２および第２の読取部３４によって読み取られる搬送原稿を安定させるように構成される。
【００４３】
続いて、図３（Ａ）および図３（Ｂ）を用いて、第１の読取ガイド部４０および第２の読取ガイド部４２の近傍の構成を説明する。第１の読取ガイド部４０および第２の読取ガイド部４２は、第１の読取位置５０および第２の読取位置５２にて画像が読み取られる原稿を案内するように構成される。第１の読取ガイド部４０および第２の読取ガイド部４２は、原稿搬送路３６を挟んで互いに対向するように配置されるとともに、互いの隙間を搬送される原稿の厚みに応じて変更可能に構成されている。この実施形態では、第１の読取ガイド部４０および第２の読取ガイド部４２の隙間が、０．６ｍｍから１．３ｍｍ程度の範囲で変化するように構成されるが、第１の読取ガイド部４０および第２の読取ガイド部４２の隙間の可変範囲はこれに限定されるものではない。
【００４４】
第１の読取ガイド部４０は、原稿の第１の面に対向するように配置されたガラス等の透明な板状部材によって構成される第１のガイド部材４００、および第１のガイド部材４００を支持するように構成されたガイド支持部材４０２を備える。
【００４５】
第２の読取ガイド部４２は、原稿読取部２０内のフレームに固定される読取フレーム４２０、および読取フレーム４２０に昇降可能な状態で吊り下げられるように構成された読取ガイド４２２を備える。読取フレーム４２０および読取ガイド４２２が相まって内部に光学系を収容するハウジング部材が構成される。読取フレーム４２０は、一方に開放面が形成されており、この開放面が読取ガイド４２２によって閉塞される。読取フレーム４２０は、光を通過させるための開口４２４を有しており、この開口４２４の全周にわたってモルトプレーンが設けられている。
【００４６】
続いて、図４（Ａ）〜図４（Ｄ）、および図５（Ａ）〜図５（Ｄ）を用いて、第２の読取ガイド部４２の構成を説明する。読取フレーム４２０には、ＬＥＤが搭載されたＬＥＤ基板４２６、ＬＥＤ基板４２６の周囲に配置された導光板４２８、および光を原稿読取位置に反射させるためのリフレクタ４３０等の光学系が設けられる。
【００４７】
読取ガイド４２２は、長さ方向の一端部が段付きビス４３２を介して読取フレーム４２０に支持される。読取ガイド４２２の他端部は、読取フレーム４２０の側壁４３４に形成された係合孔４３６と読取ガイド４２２に設けられた係止片４３８との係合によって支持される。
【００４８】
段付きビス４３２の平皿部と読取ガイド４２２との間には所定の大きさの空隙が設けられており、この空隙の大きさによって読取ガイド４２２の昇降可能範囲が決定される。一方で、係止片４３８が挿通される係合孔４３６には、上記空隙に対応する高さが設定されているため、読取ガイド４２２の長さ方向の両端部において同一の昇降可能範囲が設定される。
【００４９】
上述の構成では、読取ガイド４２２の長さ方向の一端部のみに段付きビス４３２を設ける構成を採用したが、両端部を段付きビス４３２によって支持することも可能である。ただし、読取ガイド４２２の装着および取り外しの作業性を考慮すると、読取ガイド４２２の長さ方向の一端部にのみ段付きビス４３２を設ける構成が好ましいと言える。
【００５０】
続いて、図６（Ａ）および図６（Ｂ）を用いて、第１の読取ガイド部４０および第２の読取ガイド部４２の動作を説明する。図６（Ａ）は、厚みが約０．１〜０．２ｍｍ程度の普通紙原稿を搬送する場合の第１の読取ガイド部４０および第２の読取ガイド部４２の状態を示しており、図６（Ｂ）は、厚みが約０．８ｍｍ程度のカード原稿を搬送する場合の第１の読取ガイド部４０および第２の読取ガイド部４２の状態を示している。
【００５１】
図６（Ａ）に示すように、第１の読取ガイド部４０および第２の読取ガイド部４２の隙間は、原稿の表面および裏面を同時に読み取る場合、焦点距離の安定化のため、約０．６ｍｍ程度に小さくしている。このため、厚みが約０．１〜０．２ｍｍ程度の普通紙原稿を搬送する場合に、原稿の表面および裏面のいずれの面の画像についてもピンボケが軽減されている。
【００５２】
また、図６（Ｂ）に示すように、厚みが約０．６を超える原稿が通過するときには、第２の読取ガイド部４２は、原稿から受ける力により上方に持ち上げられ、原稿搬送路３６から離間する。このとき、読取ガイド４２２の一端部は段付きビス４３２に案内されつつ上昇するとともに、読取ガイド４２２の他端部の係止片４３８が係合孔４３６に案内されつつ上昇するため、読取ガイド４２２は平行状態を保ちつつ上方へスライドする。その結果、第１の読取ガイド部４０および第２の読取ガイド部４２の間の隙間が拡がる。
【００５３】
この実施形態では、第１の読取ガイド部４０および第２の読取ガイド部４２の隙間が最大１．３ｍｍ程度まで拡がるように構成されるため、例えば厚み０．８ｍｍ程度のカード状の原稿が搬送される場合であっても好適に搬送させつつその両面の画像を読み取ることが可能になっている。
【００５４】
しかも、読取フレーム４２０と読取ガイド４２２とはシール機構４２１によってシールされているため、読取フレーム４２０および読取ガイド４２２内に塵埃が進入しにくくなっている。
【００５５】
シール機構４２１は、読取ガイド４２２の全周にわたって形成されたリブ４４２、および読取フレーム４２０の全周にわたって配置された薄く柔軟性のある防塵シート４４０を備える。リブ４４２は、読取ガイド４２２における読取フレーム４２０との対向面から垂直に立ち上がるように設けられている。つまり、リブ４４２は、読取ガイド４２２の昇降方向に平行になるように設けられている。
【００５６】
防塵シート４４０は、厚みが０．１ｍｍ程度のウレタンシートによって構成されており、その先端がリブ４４２に触れるように配置されている。この実施形態では、防塵シート４４０として、日本マタイ株式会社製のウレタンシート「マタイ製  ＵＲＳ  表面マットタイプ」が用いられる。防塵シート４４０は、ウレタンフォームからなるシート取り付け部材４４４を介して読取フレーム４２０に取り付けられている。このように、防塵シート４４０を同じ素材からなるシート取り付け部材４４４を介して取り付けることにより、線膨張を一定化してシートの波打ちを防止する効果が得られる。なお、ここでは、両面テープによって防塵シート４４０を取り付けているが、防塵シート４４０の取り付け手法はこれに限定されるものではない。
【００５７】
以上の構成によれば、図７（Ａ）および図７（Ｂ）に示すように、読取ガイド４２２が昇降する場合においても、シール機構４２１によって読取ガイド４２２および読取フレーム４２０内のシール性が維持される。
【００５８】
また、読取ガイド４２２が昇降する場合に、防塵シート４４０の先端に僅かに曲げの力が働くのみで、防塵シート４４０とリブ４４２との間に大きな摩擦が生じることがない。このため、読取ガイド４２２が昇降動作を阻害することなく、防塵効果が得られる。
【００５９】
さらに、通常の厚みをもつ普通紙原稿の焦点距離を確保した上で、カード原稿等の厚紙原稿の両面を読み取るときにも焦点距離を安定的に確保することによって、どのような厚みの原稿が搬送される場合であっても、ピンボケさせることなく両面の原稿を同時に読み取ることが可能になる。
【００６０】
また、カード原稿等の厚紙原稿については、原稿搬送路３６における湾曲部分を通過させることなく、原稿搬送路３６における直線状の部分のみを経由させて第２の排紙部３０に排出していることから、搬送不良等の不具合が発生しにくい。
【００６１】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００６２】
３２−第１の読取部
３４−第２の読取部
４０−第１の読取ガイド部
４２−第２の読取ガイド部
５０−第１の読取位置
５２−第２の読取位置
４００−第１のガイド部材
４０２−ガイド支持部材
４２０−読取フレーム
４２２−読取ガイド
４３２−段付ビス
４３６−係合孔
４３８−係止片
【図１】
0005124624.tif 000002
【図２】
0005124624.tif 000003
【図３】
0005124624.tif 000004
【図４】
0005124624.tif 000005
【図５】
0005124624.tif 000006
【図６】
0005124624.tif 000007
【図７】
0005124624.tif 000008